(57)【要約】【課題】周波数の変化に起因するラッシュ電流をより低減することが可能な点灯制御装置を提供する。【解決手段】バックライトの点灯開始後から第１時間経過後に、第１スイッチを第１発振回路から第２発振回路へ切り替える。点灯開始後から第１時間より後の第２時間経過後に、第２スイッチを電圧調光回路からＰＷＭ調光回路へ切り替える。電圧調光回路は、点灯開始後から第２時間まで、最大電圧の２０％以下の電圧をインバータ回路へ入力する。第２時間経過後、ＰＷＭ調光回路は、デューティー比を設定されたデューティー比まで段階的に増加させる。【選択図】図３
2008091082.tif 000002
【特許請求の範囲】
【請求項１】
インバータ回路により駆動される放電灯の点灯制御装置において、
前記インバータ回路へ第１の周波数に基づく信号を出力する第１発振回路または前記第１の周波数とは異なる第２の周波数に基づく信号を出力する第２発振回路のいずれかへ切り替える第１スイッチと、
前記インバータ回路へ入力される電圧または電流を変化させることにより前記放電灯を調光する電圧電流調光回路と、
前記インバータ回路へ入力されるＰＷＭパルスのデューティー比を変化させることにより前記放電灯を調光するＰＷＭ調光回路と、
前記電圧電流調光回路または前記ＰＷＭ調光回路のいずれかへ切り替える第２スイッチと、
点灯開始後から第１時間経過後に、前記第１スイッチを第１発振回路から第２発振回路へ切り替える第１切り替え手段と、
点灯開始後から前記第１時間より後の第２時間経過後に、前記第２スイッチを前記電圧電流調光回路から前記ＰＷＭ調光回路へ切り替える第２切り替え手段と
を備えることを特徴とする点灯制御装置。
【請求項２】
前記電圧電流調光回路は、点灯開始後から前記第２時間まで、最大電圧または最大電流の２０％以下の電圧または電流を前記インバータ回路へ入力するよう構成してある
ことを特徴とする請求項１に記載の点灯制御装置。
【請求項３】
前記ＰＷＭ調光回路は、前記第２切り替え手段による前記第２スイッチの切り替え後、デューティー比を段階的に増加させるよう構成してある
ことを特徴とする請求項１または２に記載の点灯制御装置。
【発明の詳細な説明】
【技術分野】
【０００１】
本発明は、インバータ回路により駆動される放電灯の点灯制御装置に関する。
【背景技術】
【０００２】
液晶表示装置における液晶パネルは、映像回路からの映像信号によって各ドットが励起され画像を表示するが、それ自体発光しない。このため、液晶表示装置では一般に、背面から液晶パネルを放電灯（バックライト）により照光している。従来の、液晶表示装置はラッシュ電流を防止するために、電源スイッチの投入後、映像回路を含む液晶パネル駆動用の回路の電源をオンし、その所定時間経過後バックライトの電源をオンしていた（例えば、特許文献１参照）。
【０００３】
通常バックライトの明るさを制御するにはインバータ回路への入力直流電圧または入力電流を変化させてバックライトに流れる電流を変化させて調光する電流（電圧）調光方式と、ＰＷＭ（Pulse Width Modulation）パルスにより発振周波数の発振／停止を制御するバースト調光（ＰＷＭ調光）方式とがある。
【０００４】
また、従来の点灯制御装置には、ラッシュ電流を防止すべく、電圧電流調光回路及びＰＷＭ調光回路を組み合わせてバックライトを点灯する所謂ソフトスタート機能が搭載されている。図５は従来のソフトスタート機能による点灯制御手順を示すタイムチャートである。図５（ａ）はバックライトの点灯スイッチのオン・オフ状態の時間的変化を示すタイムチャートであり、横方向は時間、縦方向はLowまたはHighのいずれかである。メインのスイッチがオンされた所定時間後（例えば５００ｍｓ後）、バックライトの点灯スイッチがLowからHighへ切り替わる。図５（ｂ）は電圧調光回路の電圧レベルの時間的変化を示すタイムチャートである。横方向は時間、縦方向は電圧レベル（％）である。電圧調光回路は、ソフトスタート機能を実現すべく、バックライトの点灯スイッチがLowからHighへ切り替わった後、最大電圧の約２０％程度の電圧をインバータ回路へ入力する。
【０００５】
図５（ｃ）はＰＷＭ調光回路におけるＰＷＭパルスのデューティー比の時間的変化を示すタイムチャートであり、横方向は時間、縦方向はLowまたはHighのいずれかである。バックライトの点灯スイッチがLowからHighへ切り替わり、その後約２００ｍｓ経過後、バックライトの調光は電圧調光回路からＰＷＭ調光回路へ切り替わる。ＰＷＭ調光回路は１００％のデューティー比でパルスを発生させ、所定時間経過後に予めユーザが設定したデューティー比（例えば、５０％）でパルスを発生させる。
【０００６】
図５（ｄ）はバックライト電流検出回路により検出される電流の時間的変化を示すタイムチャートであり、横方向は時間、縦方向は電流で単位はアンペアである。図５（ｄ）において実線はソフトスタート機能を用いた場合の電流の時間的変化を示し、点線は電圧調光回路を用いずに、ＰＷＭ調光回路のみを用いてバックライトを点灯させた際の、電流の時間的変化を示す。点線で示すように、ソフトスタート機能を搭載しない場合、瞬時にデューティー比１００％のパルスが入力されるため短時間で急激に電流値が上昇する。その一方で、実線で示す如く、ソフトスタート機能を搭載した場合、電圧調光回路による２０％電圧の入力後、ＰＷＭパルスによる電圧が入力されるので、電流の時間的変化は若干緩やかになる。
【０００７】
また、近年ではより多様な設計を可能とすべく、インバータユニット内部の発振回路に加え、インバータユニット外部にも発振回路が設けられている。これらの発振回路は相互に発振周波数が異なり、点灯制御装置における点灯目的または制御対象等に応じて、これらの内いずれかを選択できるようになっている。
【特許文献１】特開平７−５４２７号公報
【発明の開示】
【発明が解決しようとする課題】
【０００８】
しかしながら、従来は内部の発振回路から外部の発振回路への切り替えを電圧電流調光回路からＰＷＭ調光回路への切り替え時に行っており、周波数の変化に伴うラッシュ電流発生の原因となっていた。すなわち、電圧調光回路とＰＷＭ調光回路とを用いたソフトスタート機能を搭載していても、十分にラッシュ電流を低減できないという問題があった。
【０００９】
また、従来は電圧調光回路により２０％程度の電圧を入力後、ＰＷＭ調光回路によるデューティー比１００％のパルスを入力していたため、電圧調光回路からＰＷＭ調光回路への切り替え時にも依然として急激な電圧の変化に伴うラッシュ電流が発生していた。また、引用文献１に記載の技術はメインの電源がオンされた後に、遅延回路を用いて所定時間経過後にバックライトのスイッチをオンするのみで、これらの問題を解決し得ない。
【００１０】
本発明は斯かる事情に鑑みてなされたものであり、その目的は、点灯開始後から第１時間経過後に、第１発振回路から第２発振回路へ切り替え、点灯開始後から第１時間より後の第２時間経過後に、電圧電流調光回路からＰＷＭ調光回路へ切り替えることにより、周波数の変化に起因するラッシュ電流をより低減することが可能な点灯制御装置を提供することにある。
【００１１】
本発明の他の目的は、電圧電流調光回路からＰＷＭ調光回路への切り替え後、デューティー比を段階的に増加させることにより、さらにラッシュ電流を低減することが可能な点灯制御装置を提供することにある。
【課題を解決するための手段】
【００１２】
本発明に係る点灯制御装置は、インバータ回路により駆動される放電灯の点灯制御装置において、前記インバータ回路へ第１の周波数に基づく信号を出力する第１発振回路または前記第１の周波数とは異なる第２の周波数に基づく信号を出力する第２発振回路のいずれかへ切り替える第１スイッチと、前記インバータ回路へ入力される電圧または電流を変化させることにより前記放電灯を調光する電圧電流調光回路と、前記インバータ回路へ入力されるＰＷＭパルスのデューティー比を変化させることにより前記放電灯を調光するＰＷＭ調光回路と、前記電圧電流調光回路または前記ＰＷＭ調光回路のいずれかへ切り替える第２スイッチと、点灯開始後から第１時間経過後に、前記第１スイッチを第１発振回路から第２発振回路へ切り替える第１切り替え手段と、点灯開始後から前記第１時間より後の第２時間経過後に、前記第２スイッチを前記電圧電流調光回路から前記ＰＷＭ調光回路へ切り替える第２切り替え手段とを備えることを特徴とする。
【００１３】
本発明に係る点灯制御装置は、前記電圧電流調光回路は、点灯開始後から前記第２時間まで、最大電圧または最大電流の２０％以下の電圧または電流を前記インバータ回路へ入力するよう構成してあることを特徴とする。
【００１４】
本発明に係る点灯制御装置は、前記ＰＷＭ調光回路は、前記第２切り替え手段による前記第２スイッチの切り替え後、デューティー比を段階的に増加させるよう構成してあることを特徴とする。
【００１５】
本発明にあっては、第１スイッチはインバータ回路へ第１の周波数に基づく信号を出力する第１発振回路または第１の周波数とは異なる第２の周波数に基づく信号を出力する第２発振回路のいずれかへ切り替える。また、第２スイッチは、インバータ回路へ入力される電圧または電流を変化させることにより放電灯を調光する電圧電流調光回路またはインバータ回路へ入力されるＰＷＭパルスのデューティー比を変化させることにより放電灯を調光するＰＷＭ調光回路のいずれかへ切り替える。そして、第１切り替え手段は放電灯の点灯開始後から第１時間経過後に、第１スイッチを第１発振回路から第２発振回路へ切り替える。
【００１６】
その後第２切り替え手段は、点灯開始後から前記第１時間より後の第２時間経過後に、第２スイッチを電圧電流調光回路からＰＷＭ調光回路へ切り替える。この電圧電流調光回路は、例えば、点灯開始後から第２時間まで、最大電圧または最大電流の２０％以下の電圧または電流をインバータ回路へ入力するよう構成している。このように、第１発振回路から第２発振回路への切り替えを電圧電流調光回路からＰＷＭ調光回路への切り替え前に行うことにより、周波数の切り替えを原因とするラッシュ電流を低減することが可能となる。
【００１７】
本発明にあっては、ＰＷＭ調光回路は、第２切り替え手段による第２スイッチの切り替え後、デューティー比を段階的に増加させるので、電圧電流調光回路からＰＷＭ調光回路への切り替え時においてもよりラッシュ電流を低減することが可能となる。
【発明の効果】
【００１８】
本発明にあっては、第１発振回路から第２発振回路への切り替えを電圧電流調光回路からＰＷＭ調光回路への切り替え前に行うことにより、周波数の切り替えを原因とするラッシュ電流を低減することが可能となる。また、ＰＷＭ調光回路は、第２切り替え手段による第２スイッチの切り替え後、デューティー比を段階的に増加させるので、電圧電流調光回路からＰＷＭ調光回路への切り替え時においてもよりラッシュ電流を低減することが可能となる。そして、第１発振回路から第２発振回路への切り替えタイミングと、電圧電流調光回路からＰＷＭ調光回路への切り替えタイミングとを異ならせる手段、及び、ＰＷＭ調光回路のデューティー比を段階的に増加させる手段の組み合わせにより、一段と優れたソフトスタート機能を実現することが可能となる等、本発明は優れた効果を奏する。
【発明を実施するための最良の形態】
【００１９】
以下本発明の実施の形態を、図面を参照して説明する。図１は本発明に係る点灯制御装置の回路構成を示す回路図である。図においてＳは液晶表示装置（図示せず）等に利用される放電灯（以下、バックライト）の点灯制御装置であり、制御ユニット２及びインバータユニット１を含んで構成される。主制御部３は点灯制御装置Ｓ及び図示しない映像回路等を含む液晶表示装置内の全ての回路を制御する。主制御部３はメインスイッチ３１に接続されており、ユーザのメインスイッチ３１のオン操作により、High信号を制御ユニット２へ出力する。
【００２０】
制御ユニット２は、制御部２１、時計部２５、第２発振回路２２、ＰＷＭ調光回路２３、ＤＣコンバータ２４、制御プログラム２５Ｐを含んで構成される。また、インバータユニット１は、インバータ回路１１内のインバータ駆動回路１１１及びトランス１１２、発振制御回路１２、電圧調光回路１４、第１スイッチＳ１、並びに、第２スイッチＳ２を含んで構成される。制御部２１は図示しないＣＰＵ及びメモリを含んで構成され、メモリに記憶した制御プログラム２５Ｐに従い、第１スイッチＳ１、第２スイッチＳ２、ＰＷＭ調光回路２３及びＤＣコンバータ２４等の制御を行う。時計部２５は時間信号を制御部２１へ出力し、制御部２１は時計部２５から出力される時間信号を参照して第１スイッチＳ１及び第２スイッチＳ２等の切り替え制御を行う。
【００２１】
制御ユニット２内部には水晶発振器等の第２発振回路２２が設けられており、またインバータユニット１内部にも水晶発振器等の第１発振回路１３が設けられている。制御部２１は第１スイッチ制御信号を出力して第１発振回路１３または第２発振回路２２のいずれかへ切り替える。制御部２１が第１スイッチ制御信号としてLow信号を出力した場合、第１スイッチＳ１は、第１発振回路１３側へ切り替えられ、制御部２１が第１スイッチ制御信号としてHigh信号を出力した場合、第１スイッチＳ１は、第２発振回路２２側へ切り替えられる。第１発振回路１３は、周波数３０ｋＨｚ（第１の周波数）の基準信号を発振制御回路１２へ出力し、第２発振回路２２は、周波数３１ｋＨｚ（第２の周波数）の基準信号を発振制御回路１２へ出力する。なお、第１発振回路１３及び第２発振回路２２の各周波数は一例であって第１の周波数と第２の周波数とが異なるものであればこれ以外であっても良い。
【００２２】
発振制御回路１２は、バックライト電流検出回路５から出力される検出電流によってインバータ駆動回路１１１の発振周波数を制御する。この制御の際、発振制御回路１２は第１発振回路１３または第２発振回路２２から出力される周波数に基づく基準信号に従って制御を行う。
【００２３】
制御ユニット２内部にはＰＷＭ調光回路２３が設けられている。ＰＷＭ調光回路２３は、制御部２１の指示により所定のタイミングで所定のデューティー比のＰＷＭパルスを発生し、発生したＰＷＭパルスを発振制御回路１２へ出力する。発振制御回路１２はＰＷＭ調光回路２３から出力されるＰＷＭパルスによって発振周波数の停止を制御する。インバータ駆動回路１１１は発振制御回路１２からのＰＷＭパルスに基づくインバータ制御信号を入力としてトランス１１２を駆動する。
【００２４】
制御ユニット２内のＤＣコンバータ２４は、制御部２１の指示に従い０Ｖ〜３．３Ｖの昇降圧を行い、この電圧を調光用コントロール電圧ＶＴとして、インバータユニット１内の電圧調光回路１４へ出力する。電圧調光回路１４（電圧電流調光回路）は比較器（図示せず）及び分圧抵抗（図示せず）等により構成され、調光用コントロール電圧ＶＴに応じて発振制御回路１２を経てインバータ回路１１へ入力する電圧を変化させ、バックライト４を調光する。なお、本実施の形態においては入力電圧を変化させる電圧調光回路１４を適用した例について説明するが入力電流を変化させることによりバックライト４の明るさを調光する電流調光回路を用いても良い。
【００２５】
図２は電圧調光回路１４の出力電圧波形を示すグラフである。図２（ａ）は、調光用コントロール電圧ＶＴが０Ｖの場合の出力電圧波形の時間的変化を示すグラフであり、横軸は時間、縦軸は出力電圧（単位はボルト）である。また図２（ｂ）は、調光用コントロール電圧ＶＴが３．３Ｖの場合の出力電圧波形の時間的変化を示すグラフである。図に示すように電圧調光回路１４は時間的に鋸波状に変化する電圧を出力する回路であり、ＤＣコンバータ２４から出力される調光用コントロール電圧ＶＴが３．３Ｖの場合、図２（ｂ）のハッチングで示す約１００％の最大電圧が、インバータ回路１１へ入力される。
【００２６】
一方、ＤＣコンバータ２４から出力される調光用コントロール電圧ＶＴが０Ｖの場合、図２（ａ）のハッチングで示す約２０％の電圧が、インバータ回路１１へ入力される。なお、本実施の形態においては調光用コントロール電圧ＶＴを０Ｖとし、入力される電圧を最大電圧の２０％としたが、２５％程度とする他、２０％以下でも良い。調光用コントロール電圧ＶＴにより入力量が制限された鋸波状の電圧波形は発振制御回路１２へ出力され、発振制御回路１２は、この電圧波形に応じてインバータ制御信号をインバータ駆動回路１１１へ入力する。
【００２７】
制御部２１は第２スイッチＳ２に接続されており、第２スイッチＳ２を制御する。制御部２１は、第２スイッチ制御信号を出力して電圧調光回路１４またはＰＷＭ調光回路２３のいずれかへ切り替える。制御部２１が第２スイッチ制御信号としてLow信号を出力した場合、第２スイッチＳ２は、電圧調光回路１４側へ切り替えられ、制御部２１が第２スイッチ制御信号としてHigh信号を出力した場合、第２スイッチＳ２は、ＰＷＭ調光回路２３側へ切り替えられる。
【００２８】
以上の回路構成において、制御部２１のスイッチング制御を、タイムチャートを用いて説明する。なお、以下の各制御は制御部２１内の制御プログラム２５Ｐに従って行われる。図３はスイッチング制御の手順を示すタイムチャートであり、いずれも横方向は時間である。図３（ａ）はメインスイッチ３１のオンまたはオフ状態を示すタイムチャートであり、縦方向はLowまたはHighである。メインスイッチ３１がオフからオンへ切り替えられた場合、主制御部３へ入力されるスタート信号はLowからHighへ切り替えられる。
【００２９】
図３（ｂ）はバックライト４の点灯スイッチの時間的変化を示すタイムチャートであり、縦方向はLowまたはHighである。主制御部３は、所定時間、例えば５００ｍｓ、経過後、バックライト４の点灯を開始すべく、制御開始信号をLowからHighへ切り替える。制御部２１はHighの制御開始信号を受けて、制御ユニット２及びインバータユニット１へ電力を供給すると共にバックライト４の点灯を開始する。点灯開始時においては、第１スイッチＳ１はLow側、すなわち第１発振回路１３側であり、第２スイッチＳ２もLow側、すなわち電圧調光回路１４側となっている。
【００３０】
図３（ｃ）は電圧調光回路１４の出力電圧の時間的変化を示すタイムチャートである。ＤＣコンバータ２４からは調光用コントロール電圧ＶＴ＝０Ｖが供給されており、点灯開始後、最大電圧の約２０％に相当する電圧が発振制御回路１２を経てインバータ回路１１へ入力される。図３（ｄ）は第１スイッチ制御信号の時間的変化を示すタイムチャートであり、縦方向はLowまたはHighである。点灯開始後に、第１時間（例えば１５０ｍｓ）経過した場合、制御部２１は時計部２５からの時間情報に基づき、第１スイッチ制御信号をLowからHighへ切り替える。これにより、第１スイッチＳ１は３０ｋＨｚの第１発振回路１３側から３１ｋＨｚの第２発振回路２２側へ切り替えられる。この第１時間経過時においては、第２スイッチＳ２は引き続きLow側であり、電圧調光回路１４による２０％調光が引き続き行われる（図３（ｃ）及び図３（ｄ）参照）。
【００３１】
図３（ｅ）は第２スイッチ制御信号の時間的変化を示すタイムチャートであり、縦方向はLowまたはHighである。点灯開始後、第１時間（例えば１５０ｍｓ）より後の第２時間（例えば２００ｍｓ）経過後、制御部２１は時計部２５からの時間情報に基づき、第２スイッチ制御信号をLowからHighへ切り替える。これにより、第２スイッチＳ２は、電圧調光回路１４側からＰＷＭ調光回路２３側へ切り替えられる。
【００３２】
図３（ｆ）はＰＷＭ調光回路２３から出力されるＰＷＭパルスの時間的変化を示すタイムチャートであり、縦方向はLowまたはHighである。制御部２１はユーザ等が設定したデューティー比を読み出し、これに至るまで、段階的にデューティー比を増加させる制御をＰＷＭ調光回路２３に対して行う。例えば、設定されたデューティー比が５０％の場合、数％ずつデューティー比を増加させる指示をＰＷＭ調光回路２３へ出力する。ＰＷＭ調光回路２３は制御部２１からの指示に従い、ＰＷＭパルスの幅を変化させる。本実施の形態においては、ユーザの設定デューティー比を５０％としており、１０％、２０％、３０％、４０％、５０％と段階的にデューティー比を増加させている。
【００３３】
図３（ｇ）はバックライト電流検出回路５から出力される電流の時間的変化を示すタイムチャートであり、縦方向は電流（単位はアンペア）である。実線は本実施の形態に係るスイッチング制御を行った場合の電流の変化を示し、一点鎖線は従来のスイッチング制御を行った場合の電流の変化である。実線で示すように、第１スイッチＳ１の切り替えタイミングを第２スイッチＳ２の切り替えタイミングよりも早く実行すると共に、第２スイッチＳ２の切り替え後、デューティー比を段階的に増加させているので一点鎖線で示す従来の制御と比較してよりラッシュ電流が低減していることが理解できる。
【００３４】
図４は制御部２１のスイッチング制御処理の手順を示すフローチャートである。制御部２１は主制御部３からHigh信号が入力されたか否かを判断する（ステップＳ４１）。制御部２１は、主制御部３からHigh信号が入力されていないと判断した場合（ステップＳ４１でＮＯ）、入力されるまで待機する。一方、主制御部３からHigh信号が入力されたと判断した場合（ステップＳ４１でＹＥＳ）、調光用コントロール電圧ＶＴ＝０Ｖを電圧調光回路１４へ出力し、電圧調光回路１４による２０％電圧をインバータ回路１１へ入力する（ステップＳ４２）。
【００３５】
制御部２１は、時計部２５からの時間情報を参照して、点灯開始後第１時間経過したか否かを判断する（ステップＳ４３）。制御部２１は点灯開始後第１時間を経過していないと判断した場合（ステップＳ４３でＮＯ）、ステップＳ４２へ移行し、電圧調光回路１４による制御を継続して行う。一方、制御部２１は点灯開始後第１時間を経過したと判断した場合（ステップＳ４３でＹＥＳ）、第１スイッチ制御信号をLowからHighへ切り替え、第１発振回路１３から第２発振回路２２への切り替えを行う（ステップＳ４４）。
【００３６】
次いで制御部２１は、時計部２５からの時間情報を参照して、点灯開始後第２時間を経過したか否かを判断する（ステップＳ４５）。制御部２１は、点灯開始後第２時間を経過していないと判断した場合（ステップＳ４５でＮＯ）、第２時間を経過するまで待機する。制御部２１は点灯開始後第２時間を経過したと判断した場合（ステップＳ４５でＹＥＳ）、第２スイッチ制御信号をLowからHighへ切り替え、電圧調光回路１４からＰＷＭ調光回路２３への切り替えを行う（ステップＳ４６）。
【００３７】
制御部２１はステップＳ４６の処理と共に、デューティー比を図示しないメモリに予め記憶した所定％（例えば１０％）から段階的に増加させる指示をＰＷＭ調光回路２３へ出力する（ステップＳ４７）。制御部２１は、図示しないメモリに予め記憶された設定デューティー比まで増加したか否かを判断する（ステップＳ４８）。制御部２１は、設定デューティー比までデューティー比が増加していないと判断した場合（ステップＳ４８でＮＯ）、ステップＳ４７へ移行し、デューティー比をさらに増加させる処理を繰り返す。一方、制御部２１は、設定デューティー比までデューティー比が増加したと判断した場合（ステップＳ４８でＹＥＳ）、一連の処理を終了する。
【図面の簡単な説明】
【００３８】
【図１】本発明に係る点灯制御装置の回路構成を示す回路図である。
【図２】電圧調光回路の出力電圧波形を示すグラフである。
【図３】スイッチング制御の手順を示すタイムチャートである。
【図４】制御部のスイッチング制御処理の手順を示すフローチャートである。
【図５】従来のソフトスタート機能による点灯制御手順を示すタイムチャートである。
【符号の説明】
【００３９】
１      インバータユニット
２      制御ユニット
３      主制御部
３１    メインスイッチ
２５    時計部
２１    制御部
２２    第２発振回路
２３    ＰＷＭ調光回路
２４    ＤＣコンバータ
２５Ｐ  制御プログラム
１１    インバータ回路
１１１  インバータ駆動回路
１１２  トランス
４      バックライト（放電灯）
１２    発振制御回路
１３    第１発振回路
１４    電圧調光回路（電圧電流調光回路）
Ｓ１    第１スイッチ
Ｓ２    第２スイッチ
５      バックライト電流検出回路
Ｓ      点灯制御装置
【図１】
2008091082.tif 000003
【図２】
2008091082.tif 000004
【図３】
2008091082.tif 000005
【図４】
2008091082.tif 000006
【図５】
2008091082.tif 000007